(57)【特許請求の範囲】
【請求項１】
相互に重ねられた布団の間に配置される吹出口と、
前記布団を乾燥させるために前記吹出口から空気を吹き出す乾燥手段と、
相対湿度である前記布団の湿度を検出する布団湿度検出手段と、
前記布団の温度を検出する布団温度検出手段と、
前記布団湿度検出手段により検出された前記布団の湿度が設定された目標湿度以下となるように、前記乾燥手段を制御する制御手段と、
を備え、
前記制御手段は、前記布団温度検出手段により検出された前記布団の温度が高いほど、前記目標湿度を低く設定する制御を実行可能であり、
前記制御手段は、前記布団温度検出手段により検出された前記布団の温度が予め設定された基準温度よりも低い温度領域において、前記布団の温度が高いほど、前記目標湿度が低くなるように設定し、前記布団の温度が前記基準温度よりも高い温度領域において、前記布団の温度が高いほど、前記目標湿度が高くなるように設定し、
前記基準温度は、ダニの抑制効果が出る温度である布団乾燥機。
【請求項２】
相互に重ねられた布団の間に配置される吹出口と、
前記布団を乾燥させるために前記吹出口から空気を吹き出す乾燥手段と、
相対湿度である前記布団の湿度を検出する布団湿度検出手段と、
前記布団の温度を検出する布団温度検出手段と、
前記布団湿度検出手段により検出された前記布団の湿度が設定された目標湿度以下となるように、前記乾燥手段を制御する制御手段と、
を備え、
前記制御手段は、前記布団温度検出手段により検出された前記布団の温度が高いほど、前記目標湿度を低く設定する制御を実行可能であり、
前記制御手段は、前記布団の湿度が前記目標湿度以下となった状態が設定された目標維持時間だけ維持されるように、前記乾燥手段を制御し、
前記制御手段は、前記布団温度検出手段により検出された前記布団の温度が予め設定された基準温度よりも低い温度領域において、前記布団の温度が高いほど、前記目標維持時間が長くなるように設定し、前記布団の温度が前記基準温度よりも高い温度領域において、前記布団の温度が高いほど、前記目標維持時間が短くなるように設定し、
前記基準温度は、ダニの抑制効果が出る温度である布団乾燥機。
【請求項３】
相互に重ねられた布団の間に配置される吹出口と、
前記布団を乾燥させるために前記吹出口から空気を吹き出す乾燥手段と、
相対湿度である前記布団の湿度を検出する布団湿度検出手段と、
前記布団湿度検出手段により検出された前記布団の湿度が設定された目標湿度以下となるように、前記乾燥手段を制御する制御手段と、
を備え、
前記乾燥手段は、
空気を送風する送風機と、
前記送風機から送風された空気を加熱する加熱手段と、
前記布団上における前記吹出口の位置を取得する吹出位置取得手段と、を備え、
前記制御手段は、前記吹出位置取得手段により検出された前記吹出口の位置に基いて、前記吹出口から吹き出す空気の風量と風向のうち少なくとも一方を変更する布団乾燥機。
【請求項４】
前記布団に付着したごみを除去する除塵手段を備えた請求項１から請求項３のいずれか一項に記載の布団乾燥機。
【請求項５】
ユーザーが起床したときに布団乾燥機を使用するように促す報知手段を備えた請求項１から請求項４のいずれか一項に記載の布団乾燥機。
【発明の詳細な説明】
【技術分野】
【０００１】
本発明は、布団の乾燥、ダニの駆除等を行う機能を備えた布団乾燥機に関する。
【背景技術】
【０００２】
一般に、布団乾燥機は、掛け布団と敷き布団との間に袋状の乾燥マットを敷き、この乾燥マットの中に温風を供給して布団を温めることにより、布団のダニを退治するように構成されている。これに対し、従来技術として、例えば特許文献１に記載されているような布団乾燥機が知られている。従来技術の布団乾燥機は、乾燥マットを使用せず、温風の吹出口を掛け布団と敷き布団の間に設置し、温風を布団に直接送風する構成としている。これにより、乾燥マットを敷く手間をなくし、簡易に使用することが可能となる。
【先行技術文献】
【特許文献】
【０００３】
【特許文献１】特開２０１３−５９４０１号公報
【発明の概要】
【発明が解決しようとする課題】
【０００４】
しかしながら、特許文献１に記載の従来技術では、乾燥マットを使用する場合と比較して、例えば吹出口の配置、布団の種類、布団の周囲の温度及び湿度等の影響により、布団の暖まり易さが変化し易い。このため、従来技術では、例えば布団乾燥機を一定時間だけ運転するような制御において、布団が十分に暖まらずに乾燥が不十分となったり、布団が過剰に乾燥して傷んだりする虞れがあり、また、布団乾燥機の消費電力が高くなる等の問題がある。
【０００５】
本発明は、上述のような課題を解決するためになされたもので、ダニの繁殖を短時間で効率よく抑えることができ、取扱いが容易で布団の傷み及び消費電力を抑制可能な布団乾燥機を提供することを目的とする。
【課題を解決するための手段】
【０００６】
本発明に係る布団乾燥機は、相互に重ねられた布団の間に配置される吹出口と、布団を乾燥させるために吹出口から空気を吹き出す乾燥手段と、相対湿度である布団の湿度を検出する布団湿度検出手段と、布団の温度を検出する布団温度検出手段と、布団湿度検出手段により検出された布団の湿度が設定された目標湿度以下となるように、乾燥手段を制御する制御手段と、を備え、制御手段は、布団温度検出手段により検出された布団の温度が高いほど、目標湿度を低く設定する制御を実行可能であり、制御手段は、布団温度検出手段により検出された布団の温度が予め設定された基準温度よりも低い温度領域において、布団の温度が高いほど、目標湿度が低くなるように設定し、布団の温度が基準温度よりも高い温度領域において、布団の温度が高いほど、目標湿度が高くなるように設定し、基準温度は、ダニの抑制効果が出る温度であるものである。
また、本発明に係る布団乾燥機は、相互に重ねられた布団の間に配置される吹出口と、布団を乾燥させるために吹出口から空気を吹き出す乾燥手段と、相対湿度である布団の湿度を検出する布団湿度検出手段と、布団の温度を検出する布団温度検出手段と、布団湿度検出手段により検出された布団の湿度が設定された目標湿度以下となるように、乾燥手段を制御する制御手段と、を備え、制御手段は、布団温度検出手段により検出された布団の温度が高いほど、目標湿度を低く設定する制御を実行可能であり、制御手段は、布団の湿度が目標湿度以下となった状態が設定された目標維持時間だけ維持されるように、乾燥手段を制御し、制御手段は、布団温度検出手段により検出された布団の温度が予め設定された基準温度よりも低い温度領域において、布団の温度が高いほど、目標維持時間が長くなるように設定し、布団の温度が基準温度よりも高い温度領域において、布団の温度が高いほど、目標維持時間が短くなるように設定し、基準温度は、ダニの抑制効果が出る温度であるものである。
また、本発明に係る布団乾燥機は、相互に重ねられた布団の間に配置される吹出口と、布団を乾燥させるために吹出口から空気を吹き出す乾燥手段と、相対湿度である布団の湿度を検出する布団湿度検出手段と、布団湿度検出手段により検出された布団の湿度が設定された目標湿度以下となるように、乾燥手段を制御する制御手段と、を備え、乾燥手段は、空気を送風する送風機と、送風機から送風された空気を加熱する加熱手段と、布団上における吹出口の位置を取得する吹出位置取得手段と、を備え、制御手段は、吹出位置取得手段により検出された吹出口の位置に基いて、吹出口から吹き出す空気の風量と風向のうち少なくとも一方を変更するものである。
【発明の効果】
【０００７】
本発明によれば、布団を最低限の加熱で過不足なく乾燥させることができ、ダニの繁殖を短時間で効率よく抑制することができる。これにより、過剰な乾燥により布団が傷むのを抑制できると共に、乾燥時の消費電力を削減することができ、ユーザーにとって取扱いが容易で高性能な布団乾燥機を実現することができる。
【図面の簡単な説明】
【０００８】
【図１】本発明の実施の形態１による布団乾燥機を示す外観図である。
【図２】布団乾燥機の構成及び制御系統を模式的に示すブロック図である。
【図３】布団乾燥機の動作例を示すフローチャートである。
【図４】布団乾燥運転中のヒーター、送風ファン、布団湿度及び布団温度の挙動を示すタイミングチャートである。
【図５】布団の温度に対する目標湿度Ｒの温度特性と、布団の温度に対する目標維持時間Ａの温度特性とを図５（ａ），図５（ｂ）として示す特性線図である。
【発明を実施するための形態】
【０００９】
実施の形態１．
以下、図面を参照して、本発明の実施の形態１について説明する。なお、各図においては、共通する要素に同一の符号を付し、重複する説明を省略する。また、本発明は、以下の実施の形態に限定されるものではなく、本発明の主旨を逸脱しない範囲で種々に変形することが可能である。
【００１０】
まず、図１は、本発明の実施の形態１による布団乾燥機を示す外観図であり、図２は、布団乾燥機の構成及び制御系統を模式的に示すブロック図である。これらの図に示すように、本実施の形態の布団乾燥機は、ケーシング１、吹出口２、吹出ダクト３、吸気口４、吸気ダクト５、ごみ吸引口６、ごみ吸引ダクト７、排気口８、排気ダクト９、上流ダクト切替弁１０、下流ダクト切替弁１１、ヒーター１２、送風ファン１３、制御部１４等を備えている。ケーシング１は、布団乾燥機の本体部分を構成するもので、その内部には、図２に示すように、上記の各機器が収納されている。
【００１１】
吹出口２は、布団を乾燥する空気を吹き出すための部位であり、例えば相互に重ねられた掛け布団と敷き布団との間に配置された状態で使用される。なお、以下の説明では、掛け布団と敷き布団を総称して「布団」と表記する。吹出口２は、ケーシング１から外部に突出した吹出ダクト３に取付けられている。吹出ダクト３は、送風ファン１３から吹出口２に空気を送風する風路の一部を構成するもので、ケーシング１から引き出して伸ばすことが可能となっている。吹出ダクト３は、吹出口２と下流ダクト切替弁１１とを接続している。吹出ダクト３の途中には、空気を加熱するヒーター１２が設けられている。なお、図２では、吹出ダクト３とヒーター１２とを別個のボックスにより模式的に表記している。ヒーター１２は、送風ファン１３から送風された空気を加熱する加熱手段の一例を構成している。
【００１２】
吸気口４は、吹出口２から空気を吹き出すときに、ケーシング１の外部から送風ファン１３に空気を吸い込むための開口部である。吸気口４は、吸気ダクト５を介して上流ダクト切替弁１０に接続されている。吸気ダクト５は、吸気口４から送風ファン１３に空気を吸い込む風路の一部を構成している。
【００１３】
ごみ吸引口６は、布団に付着したごみ等を吸引するための部位であり、ケーシング１から外部に突出したごみ吸引ダクト７に取付けられている。ごみ吸引ダクト７は、ごみ吸引口６から送風ファン１３に空気を吸い込む風路の一部を構成するもので、ケーシング１から引き出して伸ばすことが可能となっている。ごみ吸引ダクト７は、ごみ吸引口６と上流ダクト切替弁１０とを接続している。ごみ吸引ダクト７の途中には、空気中のごみを捕集して溜める集塵ボックス１７が設けられている。なお、図２では、ごみ吸引ダクト７と集塵ボックス１７とを別個のボックスにより模式的に表記している。ごみ吸引口６、ごみ吸引ダクト７、送風ファン１３及び集塵ボックス１７は、布団に付着したごみを除去する除塵手段の一例を構成している。
【００１４】
排気口８は、ごみ吸引口６から送風ファン１３に向けて空気を吸い込むときに、送風ファン１３から吹き出した空気をケーシング１の外部に排出するための開口部である。排気口８は、排気ダクト９を介して下流ダクト切替弁１１に接続されている。排気ダクト９は、送風ファン１３からごみ吸引口６に空気を送風する風路の一部を構成している。
【００１５】
上流ダクト切替弁１０は、送風ファン１３の吸込口と連通するダクトを吸気ダクト５とごみ吸引ダクト７の何れか一方に切り替えるもので、例えば２個の流入ポートと１個の流出ポートとを有する電磁式の三方弁により構成されている。上流ダクト切替弁１０の一方の流入ポートは吸気ダクト５に接続され、他方の流入ポートはごみ吸引ダクト７に接続されている。上流ダクト切替弁１０の流出ポートは、送風ファン１３の吸込口に接続されている。
【００１６】
下流ダクト切替弁１１は、送風ファン１３の送風口と連通するダクトを吹出ダクト３と排気ダクト９の何れか一方に切り替えるもので、例えば１個の流入ポートと２個の流出ポートとを有する電磁式の三方弁により構成されている。下流ダクト切替弁１１の流入ポートは、送風ファン１３の送風口に接続されている。下流ダクト切替弁１１の一方の流出ポートは吹出ダクト３に接続され、他方の流出ポートは排気ダクト９に接続されている。
【００１７】
送風ファン１３は、電動ファン等により構成された送風機であり、空気の吸込口と、吸込口から吸い込んだ空気を送風する送風口とを備えている。ヒーター１２及び送風ファン１３は、布団を乾燥させるために吹出口２から空気を吹き出す乾燥手段の一例を構成している。
【００１８】
また、布団乾燥機は、ケーシング１の表面部に配置された操作部１５及び表示部１６を備えている。布団乾燥機のユーザーは、操作部１５の操作スイッチ等を押すことで、布団乾燥機の運転の開始及び停止、運転モードの選択等を行うことができる。表示部１６には、布団乾燥機の運転状況を含む各種の情報が表示される。この情報には、ユーザーが起床したときに布団乾燥機を使用するように促すための表示等が含まれる。従って、表示部１６は、報知手段の一例を構成している。
【００１９】
次に、図２を参照して、布団乾燥機が備える制御部１４及びセンサー系統について説明する。このセンサー系統には、布団の温度を検出する布団温度検出手段としての布団温度センサー１８と、布団の湿度を検出する布団湿度検出手段としての布団湿度センサー１９と、吸気口４から吸気した外気の温度を検出する外気温度センサー２０と、前記外気の湿度を検出する外気湿度センサー２１とが含まれている。布団温度センサー１８及び布団湿度センサー１９は、例えば吹出口２に設けられている。また、外気温度センサー２０及び外気湿度センサー２１は、例えば吸気ダクト５に設けられている。
【００２０】
制御部１４は、マイクロコンピュータ等により構成され、ＲＯＭ、ＲＡＭ、不揮発性メモリ等からなるメモリと、メモリに記憶されたプログラムを実行するプロセッサと、プロセッサに対して信号の入出力を行う入出力ポートとを備えている。制御部１４の入力側には、前記各センサー１８〜２１を含むセンサー系統と、操作部１５とが接続されている。制御部１４の出力側には、上流ダクト切替弁１０、下流ダクト切替弁１１、ヒーター１２、送風ファン１３、表示部１６及び集塵ボックス１７を含む各種のアクチュエータが接続されている。
【００２１】
制御部１４は、操作部１５及びセンサー系統から入力される信号に基いて各アクチュエータを制御し、布団乾燥機の運転の開始及び停止、運転モードの選択等を実行する。また、制御部１４は、後述の布団乾燥運転を行うときに、センサー系統の検出結果に基いてヒーター１２及び送風ファン１３を制御し、布団の湿度及び当該湿度の継続時間を適切に調整する。なお、制御部１４は、制御手段の一例を構成している。
【００２２】
次に、布団乾燥機の動作について説明する。図３は、本発明の実施の形態１による布団乾燥機の動作例を示すフローチャートである。この図に示すルーチンは、制御部１４により実行される。また、図３では、制御部１４により実行される運転として、布団乾燥運転及びごみ吸引運転を例示したが、本発明における布団乾燥機の動作は、これらの運転のみに限定されるものではない。
【００２３】
まず、ユーザーは、布団乾燥機の電源コードをコンセントに接続し、操作部１５を操作することにより、布団乾燥モードまたはごみ吸引モードを選択する。ここで、例えばごみ吸引モードが選択された場合には、図３中におけるステップＳ１００の判定が不成立となるので、制御部１４は、ユーザーが電源スイッチを入れたときに、ごみ吸引運転を開始する。ごみ吸引運転では、まず、ステップＳ１０１において、上流ダクト切替弁１０及び下流ダクト切替弁１１を切り替えることにより、上流ダクト切替弁１０を介してごみ吸引ダクト７と送風ファン１３の吸込口とを連通させると共に、下流ダクト切替弁１１を介して排気ダクト９と送風ファン１３の送風口とを連通させる。次に、ステップＳ１０２では、送風ファン１３を起動する。
【００２４】
この結果、送風ファン１３の吸込動作により、ごみ吸引口６からごみ吸引ダクト７、集塵ボックス１７及び上流ダクト切替弁１０を経由して送風ファン１３に空気が吸い込まれ、この空気中に含まれるごみは、集塵ボックス１７により捕集されて空気中から除去され、集塵ボックス１７の内部に溜まるようになる。そして、ごみが除去された後の空気は、送風ファン１３から下流ダクト切替弁１１、排気ダクト９及び排気口８を経由してケーシング１の外部に排気される。
【００２５】
従って、ごみ吸引運転では、ユーザーがケーシング１からごみ吸引ダクト７を引き出してごみ吸引口６を布団の所望の部位に押し当てることにより、布団に付着した皮脂、フケ、毛髪等のごみをごみ吸引口６から吸引して集塵ボックス１７に捕集することができる。これにより、ユーザーは、専用の掃除機等を用意しなくても、例えば布団を乾燥させる作業のついでに布団の清掃を容易に行うことができる。また、ごみ吸引運転中には、ステップＳ１０３によりユーザーが電源スイッチを押下したか否かを判定し、この判定が成立した場合には、ごみ吸引運転を停止する。
【００２６】
一方、ユーザーは、布団乾燥運転を行う場合に、操作部１５により布団乾燥モードを選択し、吹出口２を掛け布団と敷き布団との間に配置すると共に、この状態で電源スイッチを入れる。これにより、ステップＳ１００の判定が成立するので、制御部１４は、布団乾燥運転を開始する。布団乾燥運転では、まず、ステップＳ１０４において、上流ダクト切替弁１０及び下流ダクト切替弁１１を切り替えることにより、上流ダクト切替弁１０を介して吸気ダクト５と送風ファン１３の吸込口とを連通させると共に、下流ダクト切替弁１１を介して吹出ダクト３と送風ファン１３の送風口とを連通させる。次に、ステップＳ１０５では、ヒーター１２及び送風ファン１３を起動する。
【００２７】
この結果、送風ファン１３の吸込動作により、吸気口４から吸気ダクト５及び上流ダクト切替弁１０を経由して送風ファン１３に空気が吸い込まれる。吸い込まれた空気は、下流ダクト切替弁１１及び吹出ダクト３を流通し、このときヒーター１２により加熱されて温風となる。そして、この温風は、吹出口２から掛け布団と敷き布団との間に吹き出し、各布団を内側から温めて乾燥させる。これにより、布団の乾燥及びダニの駆除を行うことができる。
【００２８】
次に、ステップＳ１０６では、布団温度センサー１８及び布団湿度センサー１９の出力に基いて、布団の温度及び湿度を検出する。そして、ステップＳ１０７では、検出された布団の温度に基いて、布団乾燥運転により実現されるべき布団の目標湿度Ｒと、目標湿度Ｒを維持すべき時間長である目標維持時間Ａとを設定する。目標湿度Ｒ及び目標維持時間Ａは、後述の図５に示すように、布団の温度に応じて適切な値に変更される。
【００２９】
次に、ステップＳ１０８では、布団の湿度が目標湿度Ｒ以下であるか否かを判定し、この判定が成立した場合には、ステップＳ１０９に移行する。一方、ステップＳ１０８の判定が不成立の場合には、ステップＳ１０６に戻り、ステップＳ１０８が成立するまでステップＳ１０６〜Ｓ１０８の処理を繰返す。
【００３０】
ステップＳ１０９では、制御部１４が備えるタイマー機能を用いることにより、ステップＳ１０８が成立した状態で目標維持時間Ａが経過したか否かを判定する。ステップＳ１０９の判定が成立した場合には、布団の湿度が目標湿度Ｒ以下となった状態が目標維持時間Ａだけ維持されたので、布団の乾燥が十分に行われたと判断し、布団乾燥運転を終了する。一方、ステップＳ１０９の判定が不成立の場合には、布団の乾燥がまだ十分ではないと判断し、ステップＳ１０６に戻って布団乾燥運転を継続する。
【００３１】
図４は、布団乾燥運転中のヒーター、送風ファン、布団湿度及び布団温度の挙動を示すタイミングチャートである。この図に示すように、布団乾燥運転では、布団湿度センサー１９により検出される布団の湿度が目標湿度Ｒ以下となり、かつ、当該湿度の状態が目標維持時間Ａだけ維持されるように、ヒーター１２及び送風ファン１３の作動状態を制御する。これにより、掛け布団及び敷き布団を最低限の加熱で過不足なく乾燥させることができ、ダニの繁殖等を短時間で効率よく抑制しつつ、過剰な乾燥により布団が傷むのを回避することができる。また、布団乾燥運転の実行時間を最適化し、消費電力を削減することとができる。従って、ユーザーにとって取扱いが容易で高性能な布団乾燥機を実現することができる。
【００３２】
また、布団乾燥運転では、布団温度センサー１８により検出された布団の温度が図４中の上限温度Ｔ−Ｈｉより高い場合に、ヒーター１２の作動を停止させる制御を行ってもよい。ここで、上限温度Ｔ−Ｈｉは、例えば布団が傷まないような温度の上限値として設定される。この制御によれば、布団が過剰な高温となって傷むのをより確実に抑制し、布団乾燥機の動作信頼性を向上させることができる。
【００３３】
次に、布団乾燥運転中において、布団の温度に応じて可変に設定される目標湿度Ｒ及び目標維持時間Ａの設定例について説明する。図５は、布団の温度に対する目標湿度Ｒの温度特性と、布団の温度に対する目標維持時間Ａの温度特性とを図５（ａ），図５（ｂ）として示す特性線図である。なお、図５（ａ），図５（ｂ）に示す温度特性のデータは、制御部１４のメモリに予め記憶されている。
【００３４】
まず、制御部１４は、図５（ａ）中に仮想線で示すように、布団温度センサー１８により検出された布団の温度が高いほど、目標湿度Ｒを低く設定する制御を行ってもよい。更に好ましい例を挙げると、図５（ａ）中に実線で示すように、布団の温度が予め設定された基準温度Ｔよりも低い温度領域では、布団の温度が高いほど、目標湿度Ｒが低くなるように設定し、布団の温度が基準温度Ｔよりも高い温度領域では、布団の温度が高いほど、目標湿度Ｒが高くなるように設定してもよい。ここで、基準温度Ｔは、例えば高温によるダニの抑制効果が出始める温度であり、具体的には、５０〜６０℃程度に設定するのが好ましい。
【００３５】
これにより、布団乾燥運転中には、布団の温度が高い場合でも、絶対湿度が低下しないので、温度に関係なく、布団の湿度をダニの抑制に効果がある最大の湿度に保持することができる。従って、布団を過剰な乾燥から保護することができる。特に、図５（ａ）中に実線で示す温度特性によれば、布団の温度が基準温度Ｔよりも高い温度領域において、高温によるダニの抑制効果がある場合に、目標湿度Ｒを高く保持することができる。この結果、布団を過剰に乾燥させずに済むので、ダニの繁殖を抑制する効果を維持しつつ、布団の傷み及び消費電力を効率よく抑制することができる。
【００３６】
一方、目標維持時間Ａについては、図５（ｂ）に示すように、布団の温度が基準温度Ｔよりも低い温度領域において、布団の温度が高いほど、目標維持時間Ａが長くなるように設定し、布団の温度が基準温度Ｔよりも高い温度領域において、布団の温度が高いほど、目標維持時間Ａが短くなるように設定してもよい。
【００３７】
これにより、基準温度Ｔよりも低い温度領域では、布団の温度が高くなって絶対湿度が低下する場合でも、乾燥時間を長くしてダニの抑制効果を維持することができる。また、基準温度Ｔよりも高い温度領域において、高温によるダニの抑制効果がある場合には、乾燥時間を過剰に長くしなくても済むので、ダニの繁殖を抑制しつつ、消費電力を削減することができる。
【００３８】
このように、本実施の形態では、布団の温度に基いて目標湿度Ｒ及び目標維持時間Ａを適切な値に変更することができる。従って、布団の温度に影響されることなく、ダニの抑制、布団の保護及び消費電力の削減を安定的に実行することができ、高性能な布団乾燥機を実現することができる。
【００３９】
なお、本実施の形態では、ユーザーの起床を検出したときに、布団乾燥機を使用するように促す内容を表示部１６に表示する構成としてもよい。これにより、布団の中の湿気が最も高くなる起床時に布団乾燥運転を実行できるので、ダニの繁殖をより効果的に抑制することができる。この場合、布団乾燥機には、ユーザーの睡眠状態を検出する睡眠センサーを備え、制御部１４は、睡眠センサーによりユーザーの起床を検出すればよい。
【００４０】
ここで、睡眠センサーとしては、例えばユーザーの体の動きを画像、体重の移動、布団の移動等により検出し、この検出結果に基いて睡眠中であるか起床したかを検出可能なセンサーを用いてもよい。また、睡眠センサーは、布団乾燥機の本体に配置してもよいが、本発明の布団乾燥機は、例えば他の家電製品に搭載された睡眠センサー、携帯電話の睡眠測定アプリケーション、単体で設置及び使用される睡眠検出器等により検出した睡眠状態の検出結果を受信して利用する構成としてもよい。また、布団乾燥機は、ユーザーが起床時間が予め入力しておくタイマー等を備え、このタイマーが起動したときに布団乾燥機の使用を促す構成としてもよい。
【００４１】
また、本実施の形態では、布団乾燥機の使用を促す内容を表示する構成としたが、本発明はこれに限らず、例えば音声を利用して上記内容を報知する構成としてもよい。
【００４２】
一方、本実施の形態では、布団上における吹出口２の位置に基いて、吹出口２から吹き出す空気の風量と風向のうち少なくとも一方を変更する構成としてもよい。具体例を挙げると、吹出口２には、互いに異なる少なくとも２つの方向に開口する複数の開口部２２（図１参照）を設ける。そして、制御部１４は、布団上における吹出口２の位置に応じて、各開口部２２のうち温風を吹き出す開口部２２の位置（つまり、温風の風向）と、開口部２２から吹き出す温風の量とを調整する。
【００４３】
この場合、布団乾燥機は、布団上における吹出口２の位置を取得する吹出位置取得手段を備える。吹出位置取得手段としては、例えばユーザーが吹出口２を設置する位置を操作部１５で入力する構成を採用してよい。また、吹出位置取得手段としては、各開口部２２から順番に一定量の温風を吹き出したときの布団の温度を検出し、検出した温度の変化量から吹出口２の位置を推測する構成を採用してもよい。
【００４４】
上記構成によれば、例えば吹出口２が布団の周縁部に設置された場合には、布団の中央部に温風が到達するように、温風の風向及び風量を適切に調整することができる。また、吹出口２が布団の中央部に設置された場合には、各方向の周縁部に温風が均等に到達するように、温風の風向を複数の方向に分散させたり、温風の風向を順次変更することができる。従って、吹出口２の位置に影響されることなく、布団全体を均等に乾燥させることができ、また、乾燥に無駄な電力を使用せずに消費電力を抑制することができる。
【００４５】
なお、本実施の形態では、ごみを吸引する除塵手段をケーシング１に一体化するものとしたが、本発明はこれに限らず、必要に応じて除塵手段をケーシング１から取外せる構成としてもよい。一例を挙げると、ごみ吸引口６、ごみ吸引ダクト７、集塵ボックス１７、送風ファン１３、送風ファン１３を駆動する充電池等をごみ吸引部としてユニット化し、ごみ吸引部をケーシング１に対して着脱可能な構成とする。そして、ごみを吸引するときには、ごみ吸引部をケーシング１から取外して所望の場所で使用する。これにより、布団乾燥機のうちごみの吸引時に用いる部位を別体のユニットとして小型化することができる。従って、ごみの吸引作業を効率よく行うことができ、ユーザーの使い勝手を向上させることができる。
【００４６】
また、本実施の形態では、ヒーター１２をごみ吸引ダクト７の近傍に配置し、ごみを吸引した後に、集塵ボックス１７に堆積したごみをヒーター１２により加熱する構成としてもよい。これにより、吸引したごみに生きたダニが含まれている場合でも、加熱によりダニを死滅させることができ、ダニの駆除を効果的に行うことができる。
【００４７】
また、本実施の形態では、布団の湿度が目標湿度Ｒ以下となった状態を目標維持時間Ａだけ維持する構成としたが、本発明は、少なくとも布団の湿度を目標湿度Ｒ以下に保持すればよいものであり、この状態を必ずしも目標維持時間Ａだけ維持しなくてもよい。また、本実施の形態では、布団の温度に応じて目標湿度と目標維持時間の両方を変更する場合を例示したが、本発明はこれに限らず、目標湿度と目標維持時間のうち一方のみを変更する制御を採用してもよい。
【００４８】
さらに、本実施の形態では、吹出口２を掛け布団と敷布団との間に配置する場合を例示したが、本発明の布団乾燥機は、相互に重ねられた２枚の掛け布団の間または２枚の敷布団の間に吹出口２を配置して布団乾燥運転を行ってもよい。
【符号の説明】
【００４９】
１  ケーシング、２  吹出口、３  吹出ダクト、４  吸気口、５  吸気ダクト、６  ごみ吸引口（除塵手段）、７  ごみ吸引ダクト（除塵手段）、８  排気口、９  排気ダクト、１０  上流ダクト切替弁、１１  下流ダクト切替弁、１２  ヒーター（加熱手段、乾燥手段）、１３  送風ファン（送風機、乾燥手段、除塵手段）、１４  制御部（制御手段）、１５  操作部、１６  表示部（報知手段）、１７  集塵ボックス（除塵手段）、１８  布団温度センサー（布団温度検出手段）、１９  布団湿度センサー（布団湿度検出手段）、２０  外気温度センサー、２１  外気湿度センサー、２２  開口部
【図１】
0006759581.tif 000002
【図２】
0006759581.tif 000003
【図３】
0006759581.tif 000004
【図４】
0006759581.tif 000005
【図５】
0006759581.tif 000006